(57)【要約】【課題】  指掛部を一握りするだけで挟み部が開き、握るのをやめるだけで挟み部が付勢部材によって閉じられるという簡便な機能を維持しながら、被挟持部材のサイズが小さくても挟持時にガタつきにくく、被挟持部材が大きくても挟み部が開いたままになりにくいという特徴を併せ持つ、シンプルな挟持具を得る。【解決手段】  完全に閉じる側と、被挟持部材を固定する側の２種類のアームをもたせ、ワンウェイ機構によって制御させる。【選択図】図４
2009068505.tif 000002
【特許請求の範囲】
【請求項１】
第１アームと第２アームの一端にそれぞれ第１挟み部と第２挟み部、他端にそれぞれ第１指掛部と第２指掛部を有し、前記第１アームと前記第２アームの略中央部に前記第１指掛部と前記第２指掛部を握ることで前記第１挟み部と前記第２挟み部が開くように第１回転中心が設けられ、前記第１アーム上に第１作用部、前記第２アーム上の前記第２挟み部と前記第１回転中心の間に第４挟み部を有し、前記第１挟み部と前記第２挟み部が閉じる方向に付勢する第１付勢部材とを備えた第１挟持体と、第３アームの一端に第３挟み部を有し、前記第１回転中心と同一中心上に前記第３アームの第２回転中心が設けられ、前記第３アーム上に第３作用部を有し、前記第３挟み部と前記第４挟み部が閉じる方向に付勢する第２付勢部材を備えた第２挟持体と、からなり、前記第１作用部が前記第３作用部を押すことはできても引くことはできない、あるいは引くことはできても押すことはできない、挟持具。
【請求項２】
第１アームと第２アームの一端にそれぞれ第１挟み部と第２挟み部、他端にそれぞれ第１指掛部と第２指掛部を有し、前記第１アームと前記第２アームの略中央部に前記第１指掛部と前記第２指掛部を握ることで前記第１挟み部と前記第２挟み部が開くように第１回転中心が設けられ、前記第１アーム上と前記第２アーム上にそれぞれ第１作用部と第２作用部を有し、前記第１挟み部と前記第２挟み部が閉じる方向に付勢する第１付勢部材とを備えた第１挟持体と、第３アームと第４アームの一端にそれぞれ第３挟み部と第４挟み部を有し、前記第１回転中心と同一中心上に前記第３アームと前記第４アームの第２回転中心が設けられ、前記第３アーム上と前記第４アーム上にそれぞれ第３作用部と第４作用部を有し、前記第３挟み部と前記第４挟み部が閉じる方向に付勢する第２付勢部材を備えた第２挟持体と、からなり、前記第１作用部と前記第２作用部がそれぞれ前記第３作用部と前記第４作用部を押すことはできても引くことはできない、あるいは引くことはできても押すことはできない、挟持具。
【請求項３】
前記第３アームの回転中心が前記第２アーム上の前記第１回転中心と同一中心上でないところに設けられ、前記第４アームの回転中心が前記第１アーム上に設けられる、請求項１から請求項２のいずれかに記載の挟持具。
【請求項４】
前記第１挟み部と前記第２挟み部の対、前記第３挟み部と前記第４挟み部の対、の少なくとも一対に凹凸勘合形状をもつ、請求項１から請求項３のいずれかに記載の挟持具。
【請求項５】
前記第１挟み部と前記第２挟み部の対、前記第３挟み部と前記第４挟み部の対、の少なくとも一対が閉じた状態を維持できる、少なくとも１つの錠機構を備える、請求項１から請求項４のいずれかに記載の挟持具。
【請求項６】
前記錠機構は、前記第１回転中心と同一中心上、前記第３アームの回転中心と同一中心上、前記第４アームの回転中心と同一中心上、に少なくとも１つ設けられるシリンダ錠である、請求項５に記載の挟持具。
【請求項７】
掲示板を備える、請求項１から請求項６のいずれかに記載の挟持具。
【請求項８】
一端に輪状部をもったワイヤーの他端が連結される、請求項１から請求項７のいずれかに記載の挟持具。
【請求項９】
ワイヤーの両端に１つずつ、請求項１から請求項８のいずれかに記載の前記挟持具が連結される、挟持具。
【発明の詳細な説明】
【技術分野】
【０００１】  本発明は、付勢部材の力で挟み部が閉じられ、指掛部を握ることで挟み部が開かれる挟持具に関する。
【背景技術】
【０００２】  挟持具においては、一対のアームの一端に挟み部、他端に指掛部、略中央部に指掛部を握ることで挟み部が開くように回転中心が設けられ、握ることをやめると付勢部材によって挟み部が閉じられる構造のものが多い。【０００３】  これらの挟持具は、被挟持部材のサイズが小さすぎれば挟持時にガタをもって動いてしまうし、被挟持部材が大きすぎれば挟み部が開いたままで挟持具が抜け落ちやすくなる。これらの欠点を解消するために例えば、特許文献１のように一対のアームの中間に新たにアームを設けて裏表にそれぞれ、挟み部が完全に閉じない前提の側と、閉じる前提の側を設けて使い分ける考案や、特許文献２のように挟み部に二種類の被挟持部材のサイズに対応するための溝を設ける考案がある。【０００４】
【特許文献１】  実開平５−０８２２５３号公報
【特許文献２】  実登３０６１３８７号公報
【発明の開示】
【発明が解決しようとする課題】
【０００５】  挟持具においては、指掛部を一握りするだけで挟み部が開き、握るのをやめるだけで挟み部が付勢部材によって閉じられるという簡便な機能を維持しながら、被挟持部材のサイズが小さくても挟持時にガタつきにくく、被挟持部材が大きくても挟み部が開いたままになりにくいという特徴を併せ持つことが望まれる。【０００６】  また、悪意ある第三者によって、被挟持部材や挟持具が盗難にあいにくいことが望まれる。しかし、盗難にあいにくいようにされた複雑な施錠手順ではなく、簡単な施錠手順が望まれる。【０００７】  また、盗難防止に優れた挟持具が使用されていることを悪意ある第三者にアピールする為に、挟持具自身が見えやすいところにとどまり、正義のメッセージ等を伝えることが望まれる。
【課題を解決するための手段】
【０００８】  発明１に係る挟持具は、図１のようにアーム１ａとアーム２ａの一端にそれぞれ挟み部７ａと挟み部１０ａ、他端にそれぞれ指掛部１２ａと指掛部１３ａを有し、アーム１ａとアーム２ａの略中央部に指掛部１２ａと指掛部１３ａを握ることで挟み部７ａと挟み部１０ａが開くように回転中心４ａが設けられ、アーム１ａ上に作用部１４ａ、アーム２ａ上の挟み部１０ａと回転中心４ａの間に挟み部１１ａを有し、挟み部７ａと挟み部１０ａが閉じる方向に付勢する付勢部材５ａとを備えた第１挟持体と、アーム３ａの一端に挟み部８ａを有し、回転中心４ａと同一中心軸上にアーム３ａの回転中心が設けられ、アーム３ａ上に作用部１５ａを有し、挟み部８ａと挟み部１１ａが閉じる方向に付勢する付勢部材６ａを備えた第２挟持体と、からなり、作用部１４ａが作用部１５ａを押すことはできても引くことはできない、あるいは引くことはできても押すことはできない、挟持具を用いる。【０００９】  発明２に係る挟持具は、図２のようにアーム１ｂとアーム２ｂの一端にそれぞれ挟み部７ｂと挟み部１０ｂ、他端にそれぞれ指掛部１２ｂと指掛部１３ｂを有し、アーム１ｂとアーム２ｂの略中央部に指掛部１２ｂと指掛部１３ｂを握ることで挟み部７ｂと挟み部１０ｂが開くように回転中心４ｂが設けられ、アーム１ｂ上とアーム２ｂ上にそれぞれ作用部１４ｂと作用部１８を有し、挟み部７ｂと挟み部１０ｂが閉じる方向に付勢する付勢部材５ｂとを備えた第１挟持体と、アーム３ｂとアーム１６の一端にそれぞれ挟み部８ｂと挟み部１１ｂを有し、回転中心４ｂと同一中心上にアーム３ｂとアーム１６の回転中心が設けられ、アーム３ｂ上とアーム１６上にそれぞれ作用部１５ｂと作用部１７を有し、挟み部８ｂと挟み部１１ｂが閉じる方向に付勢する付勢部材６ｂを備えた第２挟持体と、からなり、作用部１４ｂと作用部１８がそれぞれ作用部１５ｂと作用部１７を押すことはできても引くことはできない、あるいは引くことはできても押すことはできない、挟持具を用いる。【００１０】  発明３に係る挟持具は、発明１において図３のようにアーム３ａの回転中心１９がアーム２ａ上の回転中心４ａと同一中心上でないところに設けられる。また発明３に係る挟持具は、発明２においてアーム３ｂの回転中心がアーム２ｂ上の回転中心４ｂと同一中心上でないところに設けられ、アーム１６の回転中心がアーム１ｂ上に設けられる。【００１１】  発明４に係る挟持具は、発明１から発明３のいずれかの挟持具において、挟み部７と挟み部１０の対、挟み部８と挟み部１１の対、の少なくとも一対に図４のように凹凸勘合形状２３をもたせる。【００１２】  発明５に係る挟持具は、発明１から発明４のいずれかの挟持具において、挟み部７と挟み部１０の対、挟み部８と挟み部１１の対、の少なくとも一対が閉じた状態を維持できる、少なくとも１つの錠機構を備える。【００１３】  発明６に係る挟持具は、発明５の挟持具において、図４のように錠機構は回転中心４と同一中心上、アーム３の回転中心と同一中心上、アーム１６の回転中心と同一中心上、に少なくとも１つ設けられるシリンダ錠２４とする。【００１４】  発明７に係る挟持具は、発明１から発明６のいずれかの挟持具において、���４のように掲示板２２を備える。【００１５】  発明８に係る挟持具は、発明１から発明７のいずれかの挟持具において、図４のように一端に輪状部２１をもったワイヤー２０の他端が連結される。【００１６】  発明９に係る挟持具は、図４のようにワイヤー２０の両端に１つずつ、発明１から発明８のいずれかの挟持具が連結される。
【発明の効果】
【００１７】  以上のように本発明では、指掛部１２と指掛部１３を一握りするだけで、挟み部７と挟み部１０の対と、挟み部８と挟み部１１の対の両対が開き、握るのをやめるだけで閉じるという簡便さを維持しながら被挟持部材９を、挟み部７と挟み部１０の対、挟み部８と挟み部１１の対の一方でガタなく保持し、他方を完全に閉じることが可能となる。【００１８】  さらに本発明３によると、指掛部１２と指掛部１３の握り量に対する、挟み部８と挟み部１１の開き量を増減させることが可能となり、より大きな被挟持部材９を効率よく挟み込むことができる。【００１９】  さらに本発明４によると、アーム１とアーム２の対や、アーム３とアーム１６の対に外部から直接力が加えられても、挟み部７と挟み部１０の対や、挟み部８と挟み部１１の対が開きにくくなる。【００２０】  さらに本発明５によると、被挟持部材９や本発明の挟持具が盗難にあいにくくなる。【００２１】  さらに本発明６によると、シリンダ錠２４を軸として使用可能になり、構造の単純化によるコストダウンやデザイン性、防塵構造による高耐久性等が得られる。【００２２】  さらに本発明７によると、被挟持部材９や本発明の挟持具が盗難にあいにくいように、所有者の名前を記入できたりするので、盗難防止掲示板となる。【００２３】  さらに本発明８によると、ワイヤー２０を格子戸等に通してからアームを輪状部２１に通して施錠するなど、複数のものや大きなものを施錠することが可能になる。【００２４】  さらに本発明９によると、２つの被挟持部材をワイヤー２０を介して連結することが容易になる。
【発明を実施するための最良の形態】
【００２５】    〔第１実施形態〕
図１、図４において、アーム１ａとアーム２ａは鋼鉄板の打ち抜き加工後、表面をビニールコーティングされて、掲示板２２の部分は白塗装されている。シリンダ錠２４は鋳鉄製の本体で、鍵穴に鍵を入れて回転させ施錠することで、アーム１ａが圧入勘合されたシリンダ錠２４のリング部分は回転不能となり、開錠によって回転可能となる。アーム２ａはシリンダ錠２４本体に圧入勘合されている。アーム３ａはアルファベットのエイチ形の一端にリングが２つ付いた形状の鋳鉄製で、表面はビニールコーティングされており、２つのリングがシリンダ錠２４本体に回転可能に挿入される。アーム１ａとアーム３ａのリング部分は、切り欠き形状によって連動するように組まれており、シリンダ錠２４本体に挿入された付勢部材５ａと付勢部材６ａはバネ用ステンレス製のねじりコイルバネである。ワイヤー２０は複よりのステンレス線製ワイヤーにビニールチューブを被せたもので、シリンダ錠２４本体にかしめられている。ワイヤー２０の輪状部２１は鉄製のかしめリングによって形成されている。
【図面の簡単な説明】
【図１】本発明１の動作を表す例図
【図２】本発明２の動作を表す例図
【図３】本発明３の動作を表す例図
【図４】本発明９の実施例図
【符号の説明】
１、２、３、１６            アーム
４、１９                    回転中心
５、６                      付勢部材
７、８、１０、１１          挟み部
９                          被挟持部材
１２、１３                  指掛部
１４、１５、１７、１８      作用部
２０                        ワイヤー
２１                        輪状部
２２                        掲示板
２３                        凹凸勘合形状
２４                        シリンダ錠
【図１】
2009068505.tif 000003
【図２】
2009068505.tif 000004
【図３】
2009068505.tif 000005
【図４】
2009068505.tif 000006
【手続補正書】
【提出日】平成18年1月17日(2006.1.17)
【手続補正１】
【補正対象書類名】特許請求の範囲
【補正対象項目名】請求項４
【補正方法】変更
【補正の内容】
【請求項４】
前記第１挟み部と前記第２挟み部の対、前記第３挟み部と前記第４挟み部の対、の少なくとも一対に凹凸嵌合形状をもつ、請求項１から請求項３のいずれかに記載の挟持具。
【手続補正２】
【補正対象書類名】明細書
【補正対象項目名】００１１
【補正方法】変更
【補正の内容】
【００１１】  発明４に係る挟持具は、発明１から発明３のいずれかの挟持具において、挟み部７と挟み部１０の対、挟み部８と挟み部１１の対、の少なくとも一対に図４のように凹凸嵌合形状２３をもたせる。
【手続補正３】
【補正対象書類名】明細書
【補正対象項目名】００２５
【補正方法】変更
【補正の内容】
【００２５】    〔第１実施形態〕
図１、図４において、アーム１ａとアーム２ａは鋼鉄板の打ち抜き加工後、表面をビニールコーティングされて、掲示板２２の部分は白塗装されている。シリンダ錠２４は鋳鉄製の本体で、鍵穴に鍵を入れて回転させ施錠することで、アーム１ａが圧入嵌合されたシリンダ錠２４のリング部分は回転不能となり、開錠によって回転可能となる。アーム２ａはシリンダ錠２４本体に圧入嵌合されている。アーム３ａはアルファベットのエイチ形の一端にリングが２つ付いた形状の鋳鉄製で、表面はビニールコーティングされており、２つのリングがシリンダ錠２４本体に回転可能に挿入される。アーム１ａとアーム３ａのリング部分は、切り欠き形状によって連動するように組まれており、シリンダ錠２４本体に挿入された付勢部材５ａと付勢部材６ａはバネ用ステンレス製のねじりコイルバネである。ワイヤー２０は複よりのステンレス線製ワイヤーにビニールチューブを被せたもので、シリンダ錠２４本体にかしめられている。ワイヤー２０の輪状部２１は鉄製のかしめリングによって形成されている。
2009068505.tif 000007
【手続補正書】
【提出日】平成18年4月10日(2006.4.10)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
本発明は、付勢部材の力で挟み部が閉じられ、指掛部を握ることで挟み部が開かれる挟持具に関する。
【背景技術】
【０００２】
挟持具においては、一対のアームの一端に挟み部、他端に指掛部、略中央部に指掛部を握ることで挟み部が開くように回転中心が設けられ、握ることをやめると付勢部材によって挟み部が閉じられる構造のものが多い。
【０００３】
これらの挟持具は、被挟持部材のサイズが小さすぎれば挟持時にガタをもって動いてしまうし、被挟持部材が大きすぎれば挟み部が開いたままで挟持具が抜け落ちやすくなる。これらの欠点を解消するために例えば、特許文献１のように一対のアームの中間に新たにアームを設けて裏表にそれぞれ、挟み部が完全に閉じない前提の側と、閉じる前提の側を設けて使い分ける考案や、特許文献２のように挟み部に二種類の被挟持部材のサイズに対応するための溝を設ける考案がある。
【０００４】
【特許文献１】実開平５−０８２２５３号公報
【特許文献２】実登３０６１３８７号公報
【発明の開示】
【発明が解決しようとする課題】
【０００５】
挟持具においては、指掛部を一握りするだけで挟み部が開き、握るのをやめるだけで挟み部が付勢部材によって閉じられるという簡便な機能を維持しながら、被挟持部材のサイズが小さくても挟持時にガタつきにくく、被挟持部材が大きくても挟み部が開いたままになりにくいという特徴を併せ持つことが望まれる。
【０００６】
また、悪意ある第三者によって、被挟持部材や挟持具が盗難にあいにくいことが望まれる。しかし、盗難にあいにくいようにされた複雑な施錠手順ではなく、簡単な施錠手順が望まれる。
【０００７】
また、盗難防止に優れた挟持具が使用されていることを悪意ある第三者にアピールする為に、挟持具自身が見えやすいところにとどまり、正義のメッセージ等を伝えることが望まれる。
【課題を解決するための手段】
【０００８】
発明１に係る挟持具は、図１のようにアーム１aとアーム２aの一端にそれぞれ挟み部７aと挟み部１０a、他端にそれぞれ指掛部１２aと指掛部１３aを有し、アーム１aとアーム２aの略中央部に指掛部１２aと指掛部１３aを握ることで挟み部７aと挟み部１０aが開くように回転中心４aが設けられ、アーム１a上に作用部１４a、アーム２a上の挟み部１０aと回転中心４aの間に挟み部１１aを有し、挟み部７aと挟み部１０aが閉じる方向に付勢する付勢部材５aとを備えた第１挟持体と、アーム３aの一端に挟み部８aを有し、回転中心４aと同一中心軸上にアーム３aの回転中心が設けられ、アーム３a上に作用部１５aを有し、挟み部８aと挟み部１１aが閉じる方向に付勢する付勢部材６aを備えた第２挟持体と、からなり、作用部１４aが作用部１５aを押すことはできても引くことはできない、あるいは引くことはできても押すことはできない、挟持具を用いる。
【０００９】
発明２に係る挟持具は、図２のようにアーム１bとアーム２bの一端にそれぞれ挟み部７bと挟み部１０b、他端にそれぞれ指掛部１２bと指掛部１３bを有し、アーム１bとアーム２bの略中央部に指掛部１２bと指掛部１３bを握ることで挟み部７bと挟み部１０bが開くように回転中心４bが設けられ、アーム１b上とアーム２b上にそれぞれ作用部１４bと作用部１８を有し、挟み部７bと挟み部１０bが閉じる方向に付勢する付勢部材５bとを備えた第１挟持体と、アーム３bとアーム１６の一端にそれぞれ挟み部８bと挟み部１１bを有し、回転中心４bと同一中心上にアーム３bとアーム１６の回転中心が設けられ、アーム３b上とアーム１６上にそれぞれ作用部１５bと作用部１７を有し、挟み部８bと挟み部１１bが閉じる方向に付勢する付勢部材６bを備えた第２挟持体と、からなり、作用部１４bと作用部１８がそれぞれ作用部１５bと作用部１７を押すことはできても引くことはできない、あるいは引くことはできても押すことはできない、挟持具を用いる。
【００１０】
発明３に係る挟持具は、発明１において図３のようにアーム３aの回転中心１９がアーム２a上の回転中心４aと同一中心上でないところに設けられる。また発明３に係る挟持具は、発明２においてアーム３bの回転中心がアーム２b上の回転中心４bと同一中心上でないところに設けられ、アーム１６の回転中心がアーム１b上に設けられる。
【００１１】
発明４に係る挟持具は、発明１から発明３のいずれかの挟持具において、挟み部７と挟み部１０の対、挟み部８と挟み部１１の対、の少なくとも一対に図４のように凹凸嵌合形状２３をもたせる。
【００１２】
発明５に係る挟持具は、発明１から発明４のいずれかの挟持具において、挟み部７と挟み部１０の対、挟み部８と挟み部１１の対、の少なくとも一対が閉じた状態を維持できる、少なくとも１つの錠機構を備える。
【００１３】
発明６に係る挟持具は、発明５の挟持具において、図４のように錠機構は回転中心４と同一中心上、アーム３の回転中心と同一中心上、アーム１６の回転中心と同一中心上、に少なくとも１つ設けられるシリンダ錠２４とする。
【００１４】
発明７に係る挟持具は、発明１から発明６のいずれかの挟持具において、図４のように掲示板２２を備える。
【００１５】
発明８に係る挟持具は、発明１から発明７のいずれかの挟持具において、図４のように一端に輪状部２１をもったワイヤー２０の他端が連結される。
【００１６】
発明９に係る挟持具は、図４のようにワイヤー２０の両端に１つずつ、発明１から発明８のいずれかの挟持具が連結される。
【発明の効果】
【００１７】
以上のように本発明では、指掛部１２と指掛部１３を一握りするだけで、挟み部７と挟み部１０の対と、挟み部８と挟み部１１の対の両対が開き、握るのをやめるだけで閉じるという簡便さを維持しながら被挟持部材９を、挟み部７と挟み部１０の対、挟み部８と挟み部１１の対の一方でガタなく保持し、他方を完全に閉じることが可能となる。
【００１８】
さらに本発明３によると、指掛部１２と指掛部１３の握り量に対する、挟み部８と挟み部１１の開き量を増減させることが可能となり、より大きな被挟持部材９を効率よく挟み込むことができる。
【００１９】
さらに本発明４によると、アーム１とアーム２の対や、アーム３とアーム１６の対に外部から直接力が加えられても、挟み部７と挟み部１０の対や、挟み部８と挟み部１１の対が開きにくくなる。
【００２０】
さらに本発明５によると、被挟持部材９や本発明の挟持具が盗難にあいにくくなる。
【００２１】
さらに本発明６によると、シリンダ錠２４を軸として使用可能になり、構造の単純化によるコストダウンやデザイン性、防塵構造による高耐久性等が得られる。
【００２２】
さらに本発明７によると、被挟持部材９や本発明の挟持具が盗難にあいにくいように、所有者の名前を記入できたりするので、盗難防止掲示板となる。
【００２３】
さらに本発明８によると、ワイヤー２０を格子戸等に通してからアームを輪状部２１に通して施錠するなど、複数のものや大きなものを施錠することが可能になる。
【００２４】
さらに本発明９によると、２つの被挟持部材をワイヤー２０を介して連結することが容易になる。
【発明を実施するための最良の形態】
【００２５】
〔第１実施形態〕
図１、図４において、アーム１aとアーム２aは鋼鉄板の打ち抜き加工後、表面をビニールコーティングされて、掲示板２２の部分は白塗装されている。シリンダ錠２４は鋳鉄製の本体で、鍵穴に鍵を入れて回転させ施錠することで、アーム１aが圧入嵌合されたシリンダ錠２４のリング部分は回転不能となり、開錠によって回転可能となる。アーム２aはシリンダ錠２４本体に圧入嵌合されている。アーム３aはアルファベットのエイチ形の一端にリングが２つ付いた形状の鋳鉄製で、表面はビニールコーティングされており、２つのリングがシリンダ錠２４本体に回転可能に挿入される。アーム１aとアーム３aのリング部分は、切り欠き形状によって連動するように組まれており、シリンダ錠２４本体に挿入された付勢部材５aと付勢部材６aはバネ用ステンレス製のねじりコイルバネである。ワイヤー２０は複よりのステンレス線製ワイヤーにビニールチューブを被せたもので、シリンダ錠２４本体にかしめられている。ワイヤー２０の輪状部２１は鉄製のかしめリングによって形成されている。
【図面の簡単な説明】
【００２６】
【図１】本発明１の動作を表す例図
【図２】本発明２の動作を表す例図
【図３】本発明３の動作を表す例図
【図４】本発明９の実施例図
【符号の説明】
【００２７】
１、２、３、１６                           アーム
４、１９                                          回転中心
５、６                                              付勢部材
７、８、１０、１１                       挟み部
９                                                     被挟持部材
１２、１３                                      指掛部
１４、１５、１７、１８  作用部
２０                                                  ワイヤー
２１                                                  輪状部
２２                                                  掲示板
２３                                                  凹凸嵌合形状
２４                                                  シリンダ錠
【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正４
【補正方法】削除
【補正の内容】